(57)【要約】【課題】配線接続作業時の作業性を向上可能な配線継手及びこれを備えた外装ケースを提供すること。【解決手段】１対の導通板を備えた端子台と、前記１対の導通板に夫々配線端子を接続するための１対の固定部材と、１対の予備固定部材を保持する１対の固定部材保持部を備えた配線継手において、前記１対の固定部材保持部は夫々円筒壁部を有し、前記円筒壁部には、その軸心方向と平行にスリットを設けた。【選択図】図１
2018071818.tif 000002
【特許請求の範囲】
【請求項１】
１対の導通板を備えた端子台と、前記１対の導通板に夫々配線端子を接続するための１対の固定部材と、１対の予備固定部材を保持する１対の固定部材保持部を備えた配線継手において、
前記１対の固定部材保持部は夫々円筒壁部を有し、
前記円筒壁部は、その軸心方向と平行に設けられたスリットを有することを特徴とする配線継手。
【請求項２】
前記配線継手は、前記端子台と前記１対の固定部材保持部を収容するケース部を備え、
前記ケース部は、底板部と、前記底板部の外縁部に立設された周壁部を有し、
前記端子台は、前記ケース部の一端側の前端部分に配置され、
前記１対の固定部材保持部は、前記ケース部の他端側の後端部分に前記底板部に立設されていることを特徴とする請求項１に記載の配線継手。
【請求項３】
前記周壁部の後端側壁部と前記１対の固定部材保持部の間に、前記１対の導通板に接続される配線を夫々保持可能であることを特徴とする請求項２に記載の配線継手。
【請求項４】
請求項２または３に記載の配線継手を備えた外装ケースにおいて、
前記配線継手は、前記周壁部の左右側壁部から上方且つ後方に向かって円弧状に延びて先端部に係合部を備えた左右１対の円弧状アーム部を有し、
前記周壁部の後端部に前記円弧状アーム部の軸心と同心状の支軸部を有し、
前記底板部には配線を挿通させて配線管を連結可能な連結部を有し、
前記端子台に前記１対の導通板の間に位置する仕切壁部を有し、この仕切壁部の前端部が前記周壁部の前端側壁部から前方に突出し、
前記外装ケースは開口部を有し、
前記開口部後端部に前記支軸部を係合させる係合部を有し、
前記開口部の前端部に前記仕切壁部の前端部が係合可能な切欠部を有し、
前記開口部に前記配線継手が前記係合部と前記支軸部を介して回動可能に取り付けられたことを特徴とする外装ケース。
【請求項５】
前記開口部は、その左右周縁部に立設された左右１対の起立壁部を有し、
前記開口部が前記配線継手により閉じられているときに、前記左右１対の起立壁部が前記周壁部に近接または当接していることを特徴とする請求項４に記載の外装ケース。
【請求項６】
前記外装ケースは給湯装置の外装ケースであり、前記連結部に挿通される配線がリモコンコードであることを特徴とする請求項４または５に記載の外装ケース。
【発明の詳細な説明】
【技術分野】
【０００１】
本発明は、給湯装置とその操作端末を接続するための配線継手及びこの配線継手を備えた外装ケースに関する。
【背景技術】
【０００２】
従来から、給湯装置には、熱交換器やバーナ等の内蔵機器等が風雨に曝されないように収容すると共に、給湯装置の組み立てを容易にするための外装ケースが備えられている。外装ケース内に収容された給湯装置の制御手段から延びる内部配線と、浴室や台所に設置される操作端末（リモコン）の配線（リモコンコード）が、外装ケースに装着された配線継手を介して接続され、リモコン操作により給湯装置を操作可能に構成されている。配線継手には、複数のリモコンを接続可能なように複数の固定部材（ビス）が螺合により固定され、配線接続作業時にはドライバで外して使用する。
【０００３】
一般的な給湯装置の外装ケースは、内蔵機器等を固定する背面板と、天面板と、底面板と、左右の側面板と前面板により箱状に形成され、外部配管等と接続するための複数の開口部が底面板等に設けられている。給湯装置の組み立ての際には、天面板及び左右の側面板が結合された背面板を床面側にして作業台等に載置した状態で内蔵機器等を取り付ける。その後、配管や配線継手等が取り付けられた底面板を背面板及び左右の側面板に結合させて内蔵機器等と配管等を接続し、配線継手に内部配線を接続し、最後に前面板を取り付ける。
【０００４】
こうして組み立てられた給湯装置は、底面板を床面側にして建物の壁面等に取り付けられ、配線継手にリモコンコードが接続される。配線継手は、ケース状に形成されて内部配線等が露出しないように外装ケースに装着され、接続作業や点検作業の作業が容易になるように開閉可能に構成されている。
【０００５】
例えば、特許文献１の配線継手に相当するケーブル接続部材は、給湯器外板の開口部に装着され、接続作業は配線継手を傾動させて行い、点検作業は給湯器の前面板を開けて行うように構成されている。また、特許文献２の配線継手に相当する接続装置は、熱源装置の外装ケース底面に装着され、接続作業や点検作業の際には配線継手を回動させて作業を行いやすい姿勢に調整する構成が開示されている。
【先行技術文献】
【特許文献】
【０００６】
【特許文献１】特許第４４７２５７８号公報
【特許文献２】特許第４３２４８６０号公報
【発明の概要】
【発明が解決しようとする課題】
【０００７】
しかし、特許文献１，２の配線継手は、外装ケースの前面板を開けて配線接続作業を行う構成ではない。また、リモコン増設時に使用するための予備のビスが配線継手に螺合により固定されているため、増設作業時にはドライバを使用して予備のビスを外す必要があるので作業性がよくなく、外したビスの落下・紛失の虞がある。さらに、特許文献２の配線継手は、配線継手前端部にリブ部を備え、リモコンコードを保護する配線管を配線継手に着脱する際の捩じり荷重に耐え得る強度を確保しているが、配線継手が前後に大きくなり外装ケースに収容される内蔵機器の配置設計の自由度が低下する。
【０００８】
本発明の目的は、配線接続作業時の作業性を向上可能な配線継手及びこれを備えた外装ケースを提供することである。
【課題を解決するための手段】
【０００９】
第１の発明は、１対の導通板を備えた端子台と、前記１対の導通板に夫々配線端子を接続するための１対の固定部材と、１対の予備固定部材を保持する１対の固定部材保持部を備えた配線継手において、前記１対の固定部材保持部は夫々円筒壁部を有し、前記円筒壁部は、その軸心方向と平行に設けられたスリットを有することを特徴としている。
【００１０】
上記構成によれば、１対の予備固定部材が１対の固定保持部材の円筒壁部の弾性力により保持されるので、予備固定部材の脱落を防ぐと共に予備固定部材の引抜きが容易である。そのため、別途固定部材を用意する必要がなく、配線継手に備えられた予備固定部材を使用してこの配線継手に配線を追加接続するときの作業性を向上させることができる。
【００１１】
第２の発明は、第１の発明において、前記配線継手は、前記端子台と前記１対の固定部材保持部を収容するケース部を備え、前記ケース部は底板部と、前記底板部の外縁部に立設された周壁部を有し、前記端子台は、前記ケース部の一端側の前端部分に配置され、前記１対の固定部材保持部は、前記ケース部の他端側の後端部分の前記底板部に立設されていることを特徴としている。
【００１２】
上記構成によれば、ケース部前端部分に端子台が配置されたので、固定部材により配線を固定するときの作業性を向上させることができる。また、固定保持部材がケース部後端部分の底板部に立設されているので、固定保持部材が配線接続作業の妨げとなることがなく、作業性を低下させる虞がない。
【００１３】
第３の発明は、第１または第２の発明において、前記周壁部の後端側壁部と前記１対の固定部材保持部の間に、前記１対の導通板に接続される配線を夫々保持可能であることを特徴としている。
【００１４】
上記構成によれば、１対の導通板に接続される配線の移動を抑えることができるので断線等の不具合を抑えると共に、固定部材により配線を導通板と接続するときの作業性を向上させることができる。
【００１５】
第４の発明は、第２または第３の発明の配線継手を備えた外装ケースにおいて、前記配線継手は、前記周壁部の左右側壁部から上方且つ後方に向かって円弧状に延びて先端部に係合部を備えた左右１対の円弧状アーム部を有し、前記周壁部の後端部に前記円弧状アーム部の軸心と同心状の支軸部を有し、前記底板部には配線を挿通させて配線管を連結可能な連結部を有し、前記端子台に前記１対の導通板の間に位置する仕切壁部を有し、この仕切壁部の前端部が前記周壁部の前端側壁部から前方に突出し、前記外装ケースは開口部を有し、前記開口部後端部に前記支軸部を係合させる係合部を有し、前記開口部の前端部に前記仕切壁部の前端部が係合可能な切欠部を有し、前記開口部に前記配線継手が前記係合部と前記支軸部を介して回動可能に取り付けられたことを特徴としている。
【００１６】
上記構成によれば、配線継手は、外装ケースの開口部に配線継手の支軸部を中心に回動可能に取付けられたので、作業環境に応じて配線継手の姿勢を変えて固定部材により配線を接続するときの作業性を向上させることができる。
【００１７】
第５の発明は、第４の発明において、前記開口部は、その左右周縁部に立設された左右１対の起立壁部を有し、前記開口部が前記配線継手により閉じられているときに、前記左右１対の起立壁部が前記周壁部に近接または当接していることを特徴としている。
【００１８】
上記構成によれば、外装ケースの開口部が配線継手により閉じられているときに、配線継手の連結部に配線管を着脱するために配線継手に捩じり荷重が作用しても、開口部に設けられた左右１対の起立壁部と周壁部が当接し、開口部前端部の切欠部と仕切壁部の前端部が係合し、開口部と円弧状アーム部の基端部が当接するので、捩じり荷重をこれらの部位に分散させて受け止めることができ、配線継手の脱落や破損を防ぐことができる。また、配線継手を前後に小さく形成することができるので、内蔵機器の配置設計の自由度が向上すると共に、端子台を外装ケース前端に近づけて配置することができるので、前面板を開けて配線を接続するときの作業性が向上する。
【００１９】
第６の発明は、第４または第５の発明において、前記外装ケースは給湯装置の外装ケースであり、前記連結部に挿通させる配線がリモコンコードであることを特徴としている。
【００２０】
上記構成によれば、給湯装置の外装ケースに装着された配線継手を介して給湯装置の操作を行うリモコンと給湯装置を接続できるので、リモコンコードを接続するときの作業性を向上させることができる。
【発明の効果】
【００２１】
本発明によれば、配線接続作業時の作業性を向上可能な配線継手及びこれを備えた外装ケースを提供することができる。
【図面の簡単な説明】
【００２２】
【図１】本発明の実施例に係る配線継手の斜視図である。
【図２】図１の配線継手を反対方向から見た斜視図である。
【図３】本発明の実施例に係る外装ケースの斜視図である。
【図４】外装ケースの底面板に配線継手が装着された状態の要部斜視図である。
【図５】図４のV −V 線断面図である。
【図６】図４の配線継手が回動した状態の要部斜視図である。
【図７】図６のVII −VII 線断面図である。
【発明を実施するための形態】
【００２３】
以下、本発明を実施するための形態について実施例に基づいて説明する。尚、図中の矢印Ｕは上方を、矢印Ｆは前方を、矢印Ｌは左方を示す。
【実施例】
【００２４】
最初に、配線継手１について、図１，図２に基づいて説明する。
配線継手１は、電気絶縁性の合成樹脂により形成され、左右１対の導通板２，３を備えた端子台４と、左右１対の導通板２，３及び端子台４に挿通されて導通板２，３に配線端子を接続するための１対の固定部材であるビス５ａ，５ｂと、左右１対の固定部材保持部６，７と、端子台４及び１対の固定部材保持部６，７を収容するケース部８を備えている。ケース部８は、底板部９とその外縁部に立設された周壁部１０を有し、ケース部８一端側の前端部分に端子台４が配置され、ケース部８他端側の後端部分の底板部９に左右１対の固定部材保持部６，７が立設されている。
【００２５】
左右１対の固定部材保持部６，７は、夫々円筒状に形成された円筒壁部を有しており、これらの円筒壁部にはその軸心方向と平行に夫々スリット６ａ，７ａ等が設けられている。例えば、右側の固定部材保持部６には、円筒壁部において前後に対向する位置である２箇所にスリット６ａ等が設けられ、円筒壁部の先端側部分が左右に弾性変形可能であり、左側の固定部材保持部７においても同様である。この円筒壁部の弾性力を利用して固定部材保持部６，７に予備固定部材であるビス１１ａ，１１ｂを保持している。尚、円筒壁部に設けられるスリットは１つでもよく、３つ以上であってもよい。
【００２６】
端子台４は、ケース部８の底板部９から前方に傾斜して且つ上方に延びるように設けられ、その前方上向きの先端部に左右１対の導通板２，３を有する。左右１対の導通板２，３は、その前方及び左右外方を周壁部１０に設けられた前端側壁部１０ａにより外部から絶縁されている。導通板２，３の間には、これらを絶縁する仕切壁部４ａが設けられ、この仕切壁部４ａの前端部が前端側壁部１０ａから前方に突出している。
【００２７】
導通板２，３は、夫々ビス挿通孔２ａ，３ａ等２つのビス挿通孔を有し、仕切壁部４ａ側の挿通孔には夫々ビス５ａ，５ｂが挿通されている。ビス５ａ，５ｂはタッピングビスであるが、他の締結用の部材により構成することもできる。尚、左右１対の導通板２，３は、図示を省略するが夫々の一端部にケース部８の底板部９に向かって延設された側板部を備え、この側板部に後述の内部配線３０，３１が接続される。
【００２８】
周壁部１０は、その左右側壁部から夫々上方且つ後方に向かって円弧状に延びる左右１対の円弧状アーム部１０ｂ，１０ｃを有している。円弧状アーム部１０ｂ，１０ｃは、先端部に夫々係合部１０ｄ，１０ｅを備えている。周壁部１０の後端部には、円弧状アーム部１０ｂ，１０ｃの軸心と同心状に形成された支軸部１０ｆと、配線保持部１０ｇが設けられている。
【００２９】
底板部９には、配線を挿通させると共に配線を保護するための配線管（図示略）を連結可能な下方に円筒状に延びる連結部９ａが形成されている。配線管は螺合により連結部９ａに着脱可能に連結される。
【００３０】
また、周壁部１０の前端側下部から前方に突出し且つ左右に延びる支持部１２ａが設けられ、この支持部１２ａの左右両端から上方に向かって延びる左右１対の弾性壁部１２ｂ，１２ｃが設けられ、弾性壁部１２ｂ，１２ｃの先端部分に夫々係合部１２ｄ，１２ｅを有している。こうして配線継手は特許文献２と比べて前後に小さく形成されている。
【００３１】
次に、外装ケース２０について説明する。
図３に示すように、外装ケース２０は箱状に形成され、夫々矩形状の背面板２１、天面板２２、右側面板２３、左側面板２４、底面板２５、及び図示を省略するが矩形状の前面板を有する。底面板２５には配管等を挿通するための複数の開口部が設けられ、そのうちの配線用の開口部２６には、配線継手１が底面板２５の下方から装着可能である。
【００３２】
開口部２６の後端部には、配線継手１の周壁部１０後端部に設けられた支軸部１０ｆに係合させる係合部２６ａが形成されている。開口部２６の前端部には前記仕切壁部４ａの前端部が係合可能な切欠部２６ｂが形成されている。開口部２６の左右周縁部には、左右１対の起立壁部２６ｃ，２６ｄが上方に延びるように立設されている。また、外装ケース２０には建物の壁面等に取り付けるための壁面取付金具２０ａ等が設けられている。
【００３３】
次に、本発明の作用、効果ついて説明する。
図４，図５に示すように、配線継手１の支軸部１０ｆと開口部２６の係合部２６ａを係合させ、左右１対の弾性壁部１２ｂ，１２ｃ先端部分の係合部１２ｄ，１２ｅを夫々底面板２５に設けられた係合孔２５ａ，２５ｂに係合させて開口部２６を閉じるように配線継手１が装着される。左右１対の円弧状アーム部１０ｂ，１０ｃは開口部２６から外装ケース２０内側に突出する。この状態では、開口部２６に設けられた左右１対の起立壁部２６ｃ，２６ｄが周壁部１０に近接または当接し、開口部前端部の切欠部２６ｂと仕切壁部４ａの前端部が係合し、開口部２６の外縁部と円弧状アーム部１０ｂ、１０ｃの基端部が当接する。
【００３４】
図６，図７に示すように、開口部２６に装着された配線継手１は、左右１対の弾性壁部１２ｂ，１２ｃ先端部分の係合部１２ｄ，１２ｅと係合孔２５ａ，２５ｂの係合を解いて、開口部２６の係合部２６ａと配線継手１の支軸部１０ｆを介して回動可能である。配線継手１が略９０度回動すると、左右１対の円弧状アーム部１０ｂ，１０ｃ先端部の係合部１０ｄ，１０ｅが開口部２６の左右周縁部に係合して配線継手１の姿勢が維持される。
【００３５】
図４〜図７に示すように、外装ケース２０に収容された給湯装置の制御手段（図示略）から延びる１対の内部配線３０，３１が、開口部２６に装着された配線継手１の左右１対の導通板２，３の側板部に夫々接続される。１対の内部配線３０，３１は、周壁部１０後端部分に設けられた配線保持部１０ｇ、及び周壁部１０の後端側壁部と左右１対の固定部材保持部６，７との間に夫々保持されるので、その移動が規制されて断線等の不具合を抑えることができる。また、リモコンコード３２，３３等を接続するときのスペースを確保して作業性を向上させることができる。
【００３６】
配線継手１が装着された外装ケース２０を有する給湯装置は、建物の壁面等に壁面取付金具２０ａ等を介して取り付けられる。その後、この給湯装置を操作するリモコン（図示略）のリモコンコード３２，３３を底板部９の連結部９ａを挿通させて配線継手１の導通板２，３に夫々接続する。リモコンコード３２，３３の接続は、配線継手１を閉じた状態で外装ケース２０の前面板を開けて行うことができ、作業環境に応じて配線継手１を回動させて開いた状態で行うこともできる。
【００３７】
配線継手１を閉じた状態でリモコンコード３２，３３を接続する場合、配線継手１が前後に小さく形成され、端子台４が配線継手１のケース部８前端部分に配置されたので、内蔵機器の配置設計の自由度が向上し、外装ケース２０の前端に近い位置で接続作業ができるように配置できるので、作業性が向上する。開いた状態でリモコンコード３２，３３を接続する場合でも、接続作業の作業性は良好である。尚、リモコンコード３２，３３の先端部はＹ形端子であるが、ビス５ａ，５ｂにより導通板２，３に固定できればよく、丸形端子等他の端子を使用することもできる。
【００３８】
リモコンコード３２，３３が配線管（図示略）に挿通され、配線継手１を閉じた状態でこの配線管を配線継手１の連結部９ａに螺合等により着脱可能に連結してもよい。このとき、配線継手１には捩じり荷重が作用するが、開口部２６に設けられた左右１対の起立壁部２６ｃ，２６ｄと周壁部１０が当接し、開口部２６前端部の切欠部２６ｂと仕切壁部４ａの前端部が係合し、開口部２６と円弧状アーム部１０ｂ，１０ｃの基端部が当接することにより、捩じり荷重をこれらの部位に分散させて受け止めることができるので、配線継手１の脱落や破損を防ぐことができる。
【００３９】
リモコンを増設して配線継手１にリモコンコード（図示略）を追加接続する場合、固定部材保持部６，７に保持されている予備のビス１１ａ，１１ｂを引抜いて、左右１対の導通板２，３の空いているビス挿通孔２ａ，３ａにビス１１ａ，１１ｂを挿通して接続する。尚、ビス１１ａ，１１ｂはタッピングビスであるが、他の締結用の部材で構成してもよい。
【００４０】
配線継手１の左右１対の固定部材保持部６，７に円筒壁部の弾性力により１対の予備のビス１１ａ，１１ｂが保持されているので、ビス１１ａ，１１ｂの脱落を防ぐと共にドライバを使用せずにビス１１ａ，１１ｂを容易に引抜くことができる。従って、配線継手１にリモコンコードを追加接続するときに別途ビスを用意する必要がなく、配線継手１に備えられた予備のビス１１ａ，１１ｂを使用してこの配線継手１にリモコンコードを追加接続するときの作業性を向上させることができる。
【００４１】
配線継手１のケース部８前端部分に端子台４が配置されたので、配線継手１を閉じた状態で外装ケース２０の前面板を開けてリモコンコードを追加接続するときの作業性を向上させることができる。配線継手１を回動させて開いた状態で配線を追加接続する場合でも、作業性は良好である。また、左右１対の固定部材保持部６，７はケース部８後端部分の底板部９に立設されているので、固定部材保持部６，７が配線接続作業の妨げにならず、作業性を低下させる虞がない。
【００４２】
左右１対の導通板２，３に接続された１対のリモコンコード３２，３３は、左右１対の固定部材保持部６，７と周壁部１０の後端側壁部との間に夫々保持可能であり、リモコンコード３２，３３はその移動が規制されて断線等の不具合を抑えることができる。また、リモコンコード追加接続作業等の作業スペースを確保して作業性を向上させることができる。リモコンの増設により追加接続されたリモコンコードにおいても同様である。
【００４３】
以上説明した配線継手１及びこれを備えた外装ケース２０は、給湯装置とリモコンの接続に限定されるものではなく、他の装置にも適用可能である。その他、当業者であれば、本発明の趣旨を逸脱することなく、前記実施形態に種々の変更を付加した形態で実施可能であり、本発明はそのような変更形態を包含するものである。
【符号の説明】
【００４４】
１      配線継手
２，３  導通板
４      端子台
４ａ    仕切壁部
５ａ，５ｂ  ビス（固定部材）
６，７  固定部材保持部
６ａ，７ａ  スリット
８      ケース部
９      底板部
９ａ    連結部
１０    周壁部
１０ａ  前端側壁部
１０ｂ，１０ｃ  円弧状アーム部
１０ｆ  支軸部
１１ａ，１１ｂ  ビス（予備固定部材）
１２ｂ，１２ｃ  弾性壁部
２０    外装ケース
２５    底面板
２６    開口部
２６ａ  係合部
２６ｂ  切欠部
２６ｃ，２６ｄ  起立壁部
３０，３１  内部配線
３２，３３  リモコンコード
【図１】
2018071818.tif 000003
【図２】
2018071818.tif 000004
【図３】
2018071818.tif 000005
【図４】
2018071818.tif 000006
【図５】
2018071818.tif 000007
【図６】
2018071818.tif 000008
【図７】
2018071818.tif 000009